(57)【特許請求の範囲】
【請求項１】
穂先部の先端開口に前方糸案内ガイド（４）が装着され、該前方糸案内ガイド（４）の後方側に後方糸案内ガイド（５）が装着されてなる中通し竿において、糸から前方糸案内ガイド（４）へ作用する力によって前方糸案内ガイド（４）が後方糸案内ガイド（５）に対して位置変化するように、前記前方糸案内ガイド（４）と後方糸案内ガイド（５）との間が弾性変形可能に形成されてなることを特徴とする中通し竿。
【請求項２】
先端開口に前記前方糸案内ガイド（４）が装着されたトップホルダ（７）が前記穂先部に着脱可能に設けられてなり、該トップホルダ（７）を取り外すことにより、前記後方糸案内ガイド（５）が穂先部の先端に位置する請求項１記載の中通し竿。
【請求項３】
先端開口に前記後方糸案内ガイド（５）が装着された後方トップホルダ（９）が前記穂先部に着脱可能に設けられてなる請求項２記載の中通し竿。
【請求項４】
先端開口に糸案内ガイド（４）が装着され、中通し竿の穂先部に取り付けるべく取付部（１１）を有してなる中通し竿用トップガイドであって、糸から糸案内ガイド（４）へ作用する力によって糸案内ガイド（４）が取付部（１１）に対して位置変化するように、前記糸案内ガイド（４）と取付部（１１）との間が弾性変形可能に形成されてなることを特徴とする中通し竿用トップガイド。
【発明の詳細な説明】
【０００１】
【発明の属する技術分野】
本発明は中通し竿及び中通し竿に用いられる中通し竿用トップガイドに関するものである。
【０００２】
【従来の技術】
従来の中通し竿では、穂先部から出ていく糸を案内するために、先端開口に糸案内ガイドが装着され、該糸案内ガイドの後方側にも別途糸案内ガイドが装着されたトップガイドを穂先部に設けているものが公知であり、前後二箇所に糸案内ガイドを設けることで、糸の接触摩擦を低減できるという利点がある。
【０００３】
【発明が解決しようとする課題】
しかるに、トップガイド自体が金属製であるため、例えば、魚をつり上げる際等においては、竿自体が撓んでも前後の糸案内ガイドの相対位置関係が常に維持される結果、前方側の糸案内ガイドを境にして糸の向きの変化量が大きくなる。このように特定箇所で変化量が特に大きくなると、摩擦抵抗が大きくなって糸の繰り出しや巻き取り作業に問題が生じる可能性があり、また、糸にダメージが生じる可能性もある。
【０００４】
そこで本発明は、上記従来の問題点に鑑みてなされたものであり、その課題とするところは、先端開口における糸の向きの変化量を低減することにより、糸案内ガイドとの摩擦抵抗を低減することにある。
【０００５】
【課題を解決するための手段】
本発明は、上記課題を解決すべくなされたものであり、本発明に係る中通し竿は、穂先部の先端開口に前方糸案内ガイド４が装着され、該前方糸案内ガイド４の後方側に後方糸案内ガイド５が装着されてなる中通し竿において、糸から前方糸案内ガイド４へ作用する力によって前方糸案内ガイド４が後方糸案内ガイド５に対して位置変化するように、前記前方糸案内ガイド４と後方糸案内ガイド５との間が弾性変形可能に形成されてなることを特徴とする。
【０００６】
該中通し竿にあっては、両糸案内ガイド４，５間が弾性変形可能に形成されてなるので、例えば、魚をつり上げる場合、竿が撓むと共に、糸に作用する力の向きに応じて、前方糸案内ガイド４が後方糸案内ガイド５に対する位置を自在に変化させることとなる。
【０００７】
また、本発明に係る中通し竿用トップガイドは、先端開口に糸案内ガイド４が装着され、中通し竿の穂先部に取り付けるべく取付部１１を有してなる中通し竿用トップガイドであって、糸から糸案内ガイド４へ作用する力によって糸案内ガイド４が取付部１１に対して位置変化するように、前記糸案内ガイド４と取付部１１との間が弾性変形可能に形成されてなることを特徴とする。
【０００８】
かかる中通し竿用トップガイドにあっては、取付部１１を中通し竿の穂先部に取り付けて使用することができ、取り付けた状態では、先端開口の糸案内ガイド４が穂先部の先端に位置する。そして、該糸案内ガイド４で糸が案内されるが、取付部１１と糸案内ガイド４との間が弾性変形可能であるため、該弾性により、糸に作用する力の向きに応じて糸案内ガイド４がその位置を自在に変化させる。
【０００９】
【発明の実施の形態】
以下、本発明に係る中通し竿の一実施形態について、図１乃至図３を参酌しつつ、糸Ａが通る糸案内経路１を有する竿本体２の先端にトップガイド３が取り付けられてなる中通し竿について説明する。
【００１０】
該中通し竿の穂先部には、先端開口に位置して糸Ａを案内する前方糸案内ガイド４と、該前方糸案内ガイド４の後方側に位置して後方側にて糸Ａを案内する後方糸案内ガイド５とが設けられ、両糸案内ガイド４，５は前記トップガイド３に装着されてなる。該トップガイド３は、弾性部材（ゴム等）からなる筒状のホルダ本体６の先端開口に前記前方糸案内ガイド４が接着により装着されたトップホルダ７と、該トップホルダ７のホルダ本体６の内側に位置して、金属製からなる筒状の後方ホルダ本体８の先端開口に前記後方糸案内ガイド５が装着された後方トップホルダ９とから構成されてなる。
【００１１】
前記トップホルダ７のホルダ本体６には、外部と通じる大型の水抜き孔１０が四箇所設けられてなり、ホルダ本体６の後端部には中心軸に向かって延設されたフランジ部１１が形成されてなる。また、前記後方トップホルダ９の後方ホルダ本体８の後端部には、内周に雌ネジ部１２が形成されてなり、前記竿本体２の先端の雄ネジ部１３に螺入されてなる。そして、前記前方トップホルダ７のフランジ部１１は、後方トップホルダ９の後端部と竿本体２の先端の段部１４との間に挟み込まれて固定されている。
【００１２】
尚、両糸案内ガイド４，５は、通常の無負荷状態（図１及び図２の状態）において同軸上に位置し、ホルダ本体６の弾性により、後方糸案内ガイド５に対して前方糸案内ガイド４が相対的に自在に位置を変化できるようになっている。また、後方糸案内ガイド５は前方糸案内ガイド４よりも径が小さく、両糸案内ガイド４，５は、糸Ａとの摩擦抵抗を小さくし且つ維持するために、共に炭化珪素製であり、ガイド面４ａ，５ａは円弧状に形成されてなる。
【００１３】
このように構成された中通し竿を使用する場合、以下の如く、釣りの種類や場所、天候等に応じてトップガイド３の使用方法を適宜選択して釣りを行うことができる。
【００１４】
例えば、細い糸Ａを使用するため糸Ａの損傷を防止したい場合や巻き取り抵抗を小さくしたい場合には、図２の如くトップホルダ７を取り付けた状態で釣りを行うことができる。かかる場合、重りや魚の重量によって糸Ａに下方の力が作用すると、竿全体２が下方に向けて撓むと共に、図３の如く、トップホルダ７のホルダ本体６も下方側に弾性変形する。その結果、前方糸案内ガイド４が後方糸案内ガイド５よりも下方側に位置することとなって、前方糸案内ガイド４を境とした糸Ａの向きの変化量を抑制することができる。同様にして、例えば魚が左右に移動すれば、それに応じてホルダ本体６も追従して変形する。従って、本実施形態の中通し竿では、従来のようにトップガイド３自体が金属製のものに比して、特定箇所で急激に糸Ａの向きが変化するということがなくなり、糸Ａとの摩擦抵抗を従来に比して減少させることができる。よって、糸Ａの巻き取り抵抗が小さくなり、また細い糸Ａの損傷を防止することが可能となる。
【００１５】
逆に、遠投が必要な場合等ではトップホルダ７を外した使い方もできる。トップホルダ７を外すには、まず、後方トップホルダ９を回して竿本体２の先端から外す。これにより、ホルダ本体６も竿本体２から外すことができる。次に、ホルダ本体６の水抜き孔１０から後方トップホルダ９を抜き出すが、この際、ホルダ本体６が弾性部材からなるので、容易に水抜き孔１０を広げて抜き出すことができる。このようにして分離した後方トップホルダ９を再度竿本体２の先端に螺入することで、後方糸案内ガイド５を穂先部の先端に位置させることができる。この状態では、前方糸案内ガイド４の抵抗が無くなる分、引き出し時の抵抗を抑制して釣りを行うことができるので特に遠投に有利である。
【００１６】
更に、この状態から、トップホルダ７を取り付けるには、後方トップホルダ９を外してトップホルダ７を竿本体２の先端にはめ込み、広げた水抜き孔１０から後方トップホルダ９をホルダ本体６内に挿入して竿本体２に螺着させる。この後方トップホルダ９の装着によってトップホルダ７を竿本体２に固定することができる。
【００１７】
更に、トップガイド３が着脱自在であり、且つ、トップホルダ７と後方トップホルダ９とを分離できるので、トップガイド３の清掃が極めて容易にできる。特に、両糸案内ガイド４，５や水抜き孔にはゴミ等が付着しやすく、また、海釣りでは海水の塩分が凝固して付着しやすいが、清掃が容易なため、常に両糸案内ガイド４，５のガイド面４ａ，５ａを円滑に維持することができ、使用による摩擦抵抗増加を抑制できる。
【００１８】
尚、本実施形態では、竿本体２の先端に取り付けるための取付部としてホルダ本体６にフランジ部１１を設けてなるが、例えば、取付部として雌ネジ部が形成された金属製の取付部材をホルダ本体６の後端部に接着等により取り付け、このトップホルダ７を竿本体２の先端に螺着させてもよい。また、後方トップホルダ９が竿本体２に不離一体に設けられている場合や、後方トップホルダ９を竿本体と別体に形成せずに、竿本体２の先端開口に後方糸案内ガイド５が直接装着されてなる場合等では、後方トップホルダ５や竿本体２にトップホルダ７を取り付けてもよい。また、逆に、トップホルダ７と後方トップホルダ９とが一体化されたトップガイド３の場合、該トップガイド３を竿本体２に着脱自在に設けてもよい。
【００１９】
更に、上記実施形態では、ホルダ本体６を弾性部材から形成することにより、両糸案内ガイド４，５間を弾性変形可能としてなるが、この構成に限定されず、少なくとも両糸案内ガイド４，５間が弾性変形可能であればよく、この弾性によって前方糸案内ガイド４が後方糸案内ガイド５に対して自在に位置を変化できるものであれば本発明の意図するところである。
【００２０】
また、上記実施形態において、前方糸案内ガイド４と後方糸案内ガイド５との間や、後方糸案内ガイド５の後方側にも、別途糸案内ガイドを装着していても本発明の意図する範囲内である。
【００２１】
【発明の効果】
本発明に係る中通し竿にあっては、両糸案内ガイドの間が弾性変形可能であることから、前方糸案内ガイドが後方糸案内ガイドに対する位置を自在に変化させることができるので、従来のように、両糸案内ガイドの間が変形しないものに比して、前方糸案内ガイドを境とした糸の向きの変化量を減少させることができ、前方糸案内ガイドとの摩擦抵抗をより一層低減することができる。
【００２２】
また、請求項２記載の如く、前方糸案内ガイドが装着されたトップホルダと後方糸案内ガイドとを別体とすることにより、釣り人の選択によってトップホルダの装着状態と非装着状態とを自在に使い分けることができる。また、トップホルダを取り外して後方糸案内ガイドを容易に清掃でき、両糸案内ガイドへの付着物等を取り除いて、使用による摩擦抵抗増加を抑制できる。
【００２３】
更に、請求項３記載の如く、後方トップホルダも着脱可能とすることで、後方糸案内ガイドも穂先部から離脱させて清掃でき、より一層清掃が容易となる。
【００２４】
また、本発明に係る中通し竿用トップガイドにあっては、糸案内ガイドと取付部との間が弾性変形可能であるため、従来の変形しないものに比して、先端開口に装着された糸案内ガイドを境とした糸の向きの変化量を減少させることができ、先端開口の糸案内ガイドとの摩擦抵抗をより一層低減することができる。
【図面の簡単な説明】
【図１】本発明の一実施形態における中通し竿の穂先部を示す正面図。
【図２】同断面図。
【図３】同実施形態の中通し竿の使用状態を示す断面図。
【符号の説明】
４…前方糸案内ガイド（糸案内ガイド），５…後方糸案内ガイド、７…トップホルダ、９…後方トップホルダ、１１…フランジ部（取付部）
【図１】
0004053164.tif 000002
【図２】
0004053164.tif 000003
【図３】
0004053164.tif 000004